(57)【要約】【課題】１枚のシート上に形成された折り目線に沿って折り曲げ、内包物の厚さに合わせて厚さが変えられるワンピース形の配送物送付箱を提供する。【解決手段】１枚のシート上に形成された折り目線に沿って折り曲げ、容積を調整して使用するワンピース形の配送物送付箱であって、前記配送物送付箱は、矩形の底部と、前記底部の一方の辺及び他方の辺に形成された第一の折り目線を介して連接された同一高さの側壁と、前記側壁の延長上に前記第一の折り目線と平行な第二の折り目線を介して連接されたフラップ部とを有し、さらに、底部の一方の辺又は他方の辺に形成された側壁の両端には、第三の折り目線を介して継ぎしろが連接され、前記側壁及び前記継ぎしろには前記第一の折り目線から所定の間隔に、第一の折り目線と平行な第四の折り目線が１又は複数形成されている配送物送付箱を提供する。【選択図】  図１
2010095262.tif 000002
【特許請求の範囲】
【請求項１】
１枚のシート上に形成された折り目線に沿って折り曲げ、容積を調整して使用するワンピース形の配送物送付箱であって、
前記配送物送付箱は、矩形の底部と、前記底部の一方の辺及び他方の辺に形成された第一の折り目線を介して連接された同一高さの側壁と、前記側壁の延長上に前記第一の折り目線と平行な第二の折り目線を介して連接されたフラップ部とを有し、
さらに、底部の一方の辺又は他方の辺に形成された側壁の両端には、第三の折り目線を介して継ぎしろが連接され、
前記側壁及び前記継ぎしろには前記第一の折り目線から所定の間隔に、第一の折り目線と平行な第四の折り目線が１又は複数形成されていることを特徴とする配送物送付箱。
【請求項２】
請求項１に記載の配送物送付箱において、
継ぎしろに形成された第四の折り目線にはミシン目状の切込みが形成されたことを特徴とする配送物送付箱。
【請求項３】
請求項１又は２に記載の配送物送付箱において、
継ぎしろは、前記第一の折り目線側の辺が斜めにカットされた形状であることを特徴とする配送物送付箱。
【請求項４】
請求項１〜３何れかに記載の配送物送付箱において、
底部の一方の辺又は他方の辺の側壁の延長上に形成された対向する二つのフラップの面積の合計は、底部の面積より大きいことを特徴とする配送物送付箱。
【請求項５】
請求項１〜４何れかに記載の配送物送付箱において、
底部には開口部が形成されたことを特徴とする配送物送付箱。
【請求項６】
請求項５に記載の配送物送付箱において、
開口部は、全面透明なフィルムで覆われたことを特徴とする配送物送付箱。
【発明の詳細な説明】
【技術分野】
【０００１】
本発明は、１枚のシート上に形成された折り目線に沿って折り曲げ、内包物の厚さに合わせて厚さが変えられるワンピース形の配送物送付箱に関する。
【背景技術】
【０００２】
個人情報を印刷した帳票等を個人又は法人に送付する際に、誤配を防ぐために配送物にプリントされた宛先情報が外側から直接読み取れるように窓が開けられた封筒が多く使用されている。
配送物が封筒に入らない場合は、配送物と宛名ラベルを一緒に箱などに収納し、箱の蓋を閉じる際にプリントされた宛名ラベルを前記箱などから取り出して箱の外に貼付し、誤配を防止している。
また、配送物の量や大きさが送る相手によって異なる場合は、その最大の量（大きさ）に合わせて箱を作成し、量や大きさが最小または中間の場合は、隙間に緩衝材を詰め込んで送付している。
【０００３】
一方、寸法の異なるビデオテープとハードケースとを一つの軽量ケースで簡易に郵送し、ビデオテープへの耐衝撃性を向上させるようにしたビデオ郵送用ケースが提供されている（例えば、特許文献１参照）。
【０００４】
【特許文献１】実開平６−１０１４５号公報
【発明の開示】
【発明が解決しようとする課題】
【０００５】
そこで本発明は、１枚のシート上に形成された折り目線に沿って折り曲げ、内包物の厚さに合わせて厚さが変えられるワンピース形の配送物送付箱を提供することを目的とするものである。
【課題を解決するための手段】
【０００６】
前記課題の目的を達成するために、本発明の配送物送付箱の第一の態様は、１枚のシート上に形成された折り目線に沿って折り曲げ、容積を調整して使用するワンピース形の配送物送付箱であって、前記配送物送付箱は、矩形の底部と、前記底部の一方の辺及び他方の辺に形成された第一の折り目線を介して連接された同一高さの側壁と、前記側壁の延長上に前記第一の折り目線と平行な第二の折り目線を介して連接されたフラップ部とを有し、さらに、底部の一方の辺又は他方の辺に形成された側壁の両端には、第三の折り目線を介して継ぎしろが連接され、前記側壁及び前記継ぎしろには前記第一の折り目線から所定の間隔に、第一の折り目線と平行な第四の折り目線が１又は複数形成されていることを特徴とするものである。
【０００７】
また、第二の態様は、第一の態様において、継ぎしろに形成された第四の折り目線にはミシン目状の切込みが形成されたことを特徴とするものである。
【０００８】
また、第三の態様は、第一又は第二の態様において、継ぎしろは、前記第一の折り目線側の辺が斜めにカットされた形状であることを特徴とするものである。
【０００９】
また、第四の態様は、第一から第三何れかの態様において、底部の一方の辺又は他方の辺の側壁の延長上に形成された対向する二つのフラップの面積の合計は、底部の面積より大きいことを特徴とするものである。
【００１０】
また、第五の態様は、第一から第四の何れかの態様において、底部には開口部が形成されたことを特徴とするものである。
【００１１】
また、第六の態様は、第五の態様において、開口部は全面透明なフィルムで覆われたことを特徴とするものである。
【発明の効果】
【００１２】
１）第一の態様のように、１枚のシート上に形成された折り目線に沿って折り曲げ、容積を調整して使用するワンピース形の配送物送付箱であって、前記配送物送付箱は、矩形の底部と、前記底部の一方の辺及び他方の辺に形成された第一の折り目線を介して連接された同一高さの側壁と、前記側壁の延長上に前記第一の折り目線と平行な第二の折り目線を介して連接されたフラップ部とを有し、さらに、底部の一方の辺又は他方の辺に形成された側壁の両端には、第三の折り目線を介して継ぎしろが連接され、前記側壁及び前記継ぎしろには前記第一の折り目線から所定の間隔に、第一の折り目線と平行な第四の折り目線が１又は複数形成されていることによって、配送物に合せて折り目線で折り曲げて、最適な大きさの箱とすることができる。
その結果、輸送中に配送物が配送物送付箱の中で移動する空間を最小とすることができ輸送途中における配送物を損傷から護ることができる。
特に配送物が矩形の書類で、受取人によって厚さが異なるような場合に好適である。
さらに、継ぎしろが形成されているために、ワンピースの組み立て式箱でありながら側壁と蓋及び底によって箱の中が密閉され、配送物を前述のように損傷させることなく、また、汚染させることなく送付先に届けることができる。
２）また、第二の態様のように、第一の態様において、継ぎしろに形成された第四の折り目線にはミシン目状の切込みが形成されたことによって、配送物に対応した大きさに調整するときに、鋏やカッターを使用する必要がなく便利である。
３）また、第三の態様のように、第一又は第二の態様において、継ぎしろは、前記第一の折り目線側の辺が斜めにカットされた形状であることによって、配送物送付箱を組み立てる際に継ぎしろの折り曲げが容易になる。
４）また、第四の態様のように、第一から第三の何れかの態様において、底部の一方の辺又は他方の辺の側壁の延長上に形成された対向する二つのフラップの面積の合計は、底部の面積より大きいことによって、配送物を完全に包むことができ、配送物を汚すことなく送付先に届けることができる。
５）また、第五の態様のように、第一から第四の何れかの態様において、底部（配送物送付箱の宛先表示面）には開口部が形成されたことによって、配送物に印字された宛先を開口部（窓）から目視可能に表示させることができる。その結果、宛先と配送物の照合を行う手間が省け、誤配を防止することができる。
６）また、第六の態様のように、第五の態様において、開口部は全面透明なフィルムで覆われたことによって、第四の態様で記載した効果のほかに、配送物を雨や埃、物理的な損傷から護ることができる。
【発明を実施するための最良の形態】
【００１３】
以下、図面を参照して、本実施の形態の配送物送付箱の一例について説明する。
図１は、本発明の第一の実施の形態に係る配送物送付箱の展開図，図２は、図１のシートから組み立てられた配送物送付箱の裏面と表面（宛先表示面）について説明するための概略図，図３は、本発明の第二の実施の形態に係る配送物送付箱の展開図，図４は、図１の「Ａ」部について説明するための概略図，である。
【００１４】
本実施の形態の配送物送付箱１は、図１に示すように、１枚のシート上に形成された長方形の箱の底部の一方の辺（長辺）と他方の辺（短辺）に平行に形成された折り目線に沿って折り曲げ、配送物に合せて箱の厚さを調整して配送物を送付するワンピース形の配送物送付箱である。この形式の箱は、ＪＩＳ  Ｚ−１５０７の「コード番号０４０１」に規定する箱に「継ぎ代を」追加形成したものである。
本実施の形態の配送物送付箱について、以下の説明では箱の底部が長方形の例で説明するが、変形例として長辺と短辺が同じ長さの正方形も適用される。
【００１５】
本実施の形態の配送物送付箱１を展開すると、配送物送付箱の底部１１の短辺ａ側に、図示しないが、第一の折り目線２ａ，第二の折り目線３ａ，第一の折り目線２ａと第二の折り目線３ａの間に２本の第四の折り目線５ａが形成され、第一の折り目線２ａと第二の折り目線３ａに挟まれた側壁１２ａの左右の延長上にはそれぞれ第三の折り目線４ａを介して継ぎしろ１４ａが形成されている。さらに側壁１２ａの第二の折り目線３ａ側には、第二の折り目線３ａを介してフラップ１３ａが形成されている。
なお上述の第一，第二，第三，第四の折り目線には、折り易くするために多くの場合、型押し（筋押し）やミシン目などによって溝や切込みが形成される。
【００１６】
配送物送付箱の底部１１の短辺ｂ側には、短辺ａ側同様、第一の折り目線２ｂ，第二の折り目線３ｂ，第一の折り目線２ｂと第二の折り目線３ｂの間に２本の第四の折り目線５ｂが形成され、第一の折り目線２ｂと第二の折り目線３ｂに挟まれた側壁１２ｂ（図示せず）の左右の延長上にはそれぞれ第三の折り目線４ｂを介して継ぎしろ１４ｂが形成されている。さらに側壁１２ｂの第二の折り目線３ｂ側には、第二の折り目線３ｂを介してフラップ１３ｂ（図示せず）が形成されている。
【００１７】
また、図示しないが、配送物送付箱の底部１１の長辺ｃ側に第一の折り目線２ｃ及び第二の折り目線３ｃが、第一の折り目線２ｃと第二の折り目線３ｃの間の側壁１２ｃには第四の折り目線５ｃが２本形成されている。さらに側壁１２ｃの第二の折り目線３ｃ側には、第二の折り目線３ｃを介してフラップ１３ｃが形成されている。
また、配送物送付箱の底部１１の長辺ｄ側に第一の折り目線２ｄ（図示せず）及び第二の折り目線３ｄが形成され、前記第一の折り目線２ｄと第二の折り目線３ｄの間の側壁１２ｄには第四の折り目線５ｄが２本形成されている。さらに側壁１２ｄの第二の折り目線３ｄ側には、第二の折り目線３ｄを介してフラップ１３ｄが形成されている。
【００１８】
後述するが、前記短辺ａ，ｂ、長辺ｃ，ｄの側壁は同じ高さ（厚さ）になるように設定されている。即ち短辺ａ，ｂ、長辺ｃ，ｄに形成された第二の折り目線３ａ，３ｂ，３ｃ，３ｄはそれぞれ第一の折り目線２ａ，２ｂ，２ｃ，２ｄから等じ長さになるように設定されている。
さらに、側壁に形成されたそれぞれ２本の第四の折り目線は、第一の折り目線２ａ，２ｂ，２ｃ，２ｄと近傍に形成された第四の折り目線の間隔、残りの第四の折り目線と第二の折り目線と３ａ，３ｂ，３ｃ，３ｄの間隔が同一になるように設定されている（それぞれの側壁に形成された２本の第四の折り目線によって、第一の折り目線と第二の折り目線の間が３等分されるように設定されていてもよい）。
第四の折り目線は１本でも複数本でも、配送物のバリエーションに合わせて設定する。
【００１９】
図示しないが短辺側側壁１２ａ，１２ｂに形成された４つの継ぎしろ１４ａ，１４ｂに形成された第四の折り目線５ａ，５ｂにはミシン目状の切込みが形成されている。
また、配送物送付箱の底部１１には開口部１１１が形成され、送付物が内包されたときに開口部１１１から送り先の宛先情報が視認できるようになっている。
【００２０】
図２のａ図と図１を参照して、シートから組み立てられた配送物送付箱の裏面（宛先非表示面）の状態について説明する。
配送物が外壁の２／３程度の厚さのものであった場合に図２のａ図に示すように、第二の折り目線３ｃ（図示せず）及び３ｄの近傍の第四の折り目線５ｃ（図示せず）及び５ｄでフラップ１３ｃ及びフラップ１３ｄを配送物送付箱の内側になるように折り曲げ、短辺の側壁も同じ高さの第四の折り目線５ａ及び５ｂでフラップ１３ａ及び１３ｂを折り曲げ、図示しないが短辺の側壁に形成された継ぎしろ１４ａ，１４ｂを第三の折り目線で配送物送付箱の内側になるように折り曲げ、第二の折り目線３ａ及び３ｂの近傍の第四の折り目線５ａ（図示せず）及び５ｂをミシン目状の切込みで切離して本実施の形態の配送物送付箱を閉じる。
底部の長辺の側壁の延長上に形成された前記対向する二つのフラップ１３ｃ及びフラップ１３ｄの面積の合計は底部の面積より大きいために、図に示す閉じ部１３ｃｄで少なくとも第二の折り目線３ｃの近傍の、第四の折り目線５ｃに至る長さ分だけ重なり合うようになる。
重なり合った部分は接着剤又は粘着テープなどで固定する。
【００２１】
図２のｂ図は、ａ図の配送物送付箱を裏返した状態を示す。
前述の底部（配送物送付箱の宛先表示面）１１が外側から観察された場合、送付用の宛先情報（図示せず）が外側から視認可能となるように開口部１１１が形成されている。配送物送付箱１が表から観察された状態では、配送物送付箱１の底部１１と四つの側壁（図示せず）は、図示しないが第一の折り目線２ａ，２ｂ，２ｄ及び第一の折り目線２ｃで折り曲げられ、側壁には第四の折り目線５ｂ，５ｃが視認できる状態になっている。
【００２２】
開口部１１１には、図示しないが配送物送付箱の内側から部分的に透明なフィルムで覆われていて、配送物が汚れないように保護されている。
透明なフィルムは、図１に示した配送物送付箱の展開図のシート裏側（箱になったときに外側となる面）全面に貼り合わされ、配送物送付箱となった状態で雨などに遭った場合のために箱全体を防水仕様にしている場合もある。
【００２３】
図３を参照して、本発明の第二の実施の形態に係る配送物送付箱について説明する。
本発明の第二の実施の形態に係る配送物送付箱１０が、図１で説明した第一の実施の形態に係る配送物送付箱１と異なるところは、継ぎしろ１４０ｃ及び継ぎしろ１４０ｄが長辺ｃ及び長辺ｄの側壁に形成されていること，継ぎしろ１４０ｃと継ぎしろ１４０ｄの延長上の長さが側壁の高さ（厚さ）より長くなっていること、及び、継ぎしろ１４０ｃと継ぎしろ１４０ｄの第一の折り目線２ｃ，２ｄ側の辺が斜めにカットされていることである。
その他の部分は共通しているため、詳細な説明は省略する。
【００２４】
図４を参照して、図１の「Ａ」部について詳細に説明する。
配送物送付箱の底部１１の短辺ａ側には、第一の折り目線２ａ，第二の折り目線３ａ，第一の折り目線２ａと第二の折り目線３ａの間に２本の第四の折り目線５ａが形成され、第一の折り目線２ａと第二の折り目線３ａに挟まれた側壁１２ａ（図示せず）の左側延長上にはそれぞれ第三の折り目線４ａを介して継ぎしろ１４ａが形成されている。
さらに側壁１２ａの第二の折り目線３ａ側には、第二の折り目線３ａを介してフラップ１３ａが形成されている。
【００２５】
同様配送物送付箱の底部１１の長辺ｃ側に第一の折り目線２ｃ及び第二の折り目線３ｃが、第一の折り目線２ｃと第二の折り目線３ｃに挟まれた側壁１２ｃ（図示せず）には第四の折り目線５ｃが２本形成されている。さらに前記側壁１２ｃの第二の折り目線３ｃ側には、第二の折り目線３ｃを介してフラップ１３ｃが形成されている。
【００２６】
短辺ａ，ｂ及び長辺ｃ，ｄの側壁は同じ高さ（厚さ）になるように設定されている。
即ち、前記第一の折り目線２ａと前記第二の折り目線３ａの間の距離と、前記第一の折り目線２ｃと前記第二の折り目線３ｃの間の距離とは同じ「３ｈ」に設定されている。
前述の説明では第一の折り目線２ｃと第二の折り目線３ｃの間の距離を「３ｈ」の例で説明したが、第一の折り目線２ｃと第二の折り目線３ｃの間の距離は「２．５ｈ」でも「２．８ｈ」でもよい。第四の折り目線に関しても同様、第一の折り目線２ｃと第四の折り目線５ｃの間（第一の折り目線２ａと第四の折り目線５ａの間）は、「１．６ｈ」でも「２．１ｈ」でもよい。
【００２７】
そして、短辺ａの第一の折り目線２ａと第一の折り目線２ａの近傍の第四の折り目線５ａまでの距離（継ぎしろ１４ａに延長された第四の折り目線５ａも同様）は、長辺ｃの第一の折り目線２ｃと第一の折り目線２ｃの近傍の第四の折り目線５ｃまでの距離と同じ「ｈ」に設定されている。
また、短辺ａの第一の折り目線２ａから、短辺ａの第二の折り目線３ａの近傍の第四の折り目線５ａまでの距離（継ぎしろ１４ａに延長された第四の折り目線５ａも同様）は、長辺ｃの第一の折り目線２ｃから、第二の折り目線３ｃの近傍の第四の折り目線５ｃまでの距離と同じ「２ｈ」に設定されている。
【００２８】
図１，図４では、継ぎしろ１４ａは、側壁の左右延長方向に「３ｈ」の長さに延長されているが、この長さは「３ｈ」以上でも「３ｈ」以下でもよい。
また、継ぎしろ１４ａの第四の折り目線５ａの下の紙片は長方形でも図に示すように第三の折り目線を底部とする台形でもよい。
また、前述のように、継ぎしろ１４ａに形成された第四の折り目線５ａには、切取り易い様にミシン目状の切込みが形成される。ミシン目のカット部とアンカット部の比率は特に拘るものではない。
【００２９】
（材料）
本発明の実施の形態に係る配送物送付箱は、前述のように、継ぎしろの第四の折り目線に形成されたミシン目状の切込みで切取り易い様に、適度な厚さの厚紙とすることが好ましい。
また前述のように配送物送付箱を防水仕様とする場合は、シートの片面に透明フィルムをラミネート（配送物送付箱の外側が透明フィルム面となるように設定する）することを前提に紙質、厚さを選定する。
本発明の実施の形態に係る配送物送付箱には、第一、第二、第四と筋押しやミシン目などによる折り目線が複数形成される仕様になっているために波板が貼り合わされている段ボールのような材料は好ましくない。
【産業上の利用可能性】
【００３０】
郵便、または、宅配便で送付される主として書類，書籍等の送付箱に好適である。
【図面の簡単な説明】
【００３１】
【図１】本発明の第一の実施の形態に係る配送物送付箱の展開図である。
【図２】図１のシートから組み立てられた配送物送付箱の裏面と表面（宛先表示面）について説明するための概略図である。
【図３】本発明の第二の実施の形態に係る配送物送付箱の展開図である。
【図４】図１の「Ａ」部について説明するための概略図である。
【符号の説明】
【００３２】
１，１０  配送物送付箱
２      第一の折り目
３      第二の折り目
４，４０  第三の折り目
５      第四の折り目
１１，１１０  底部（配送物送付箱の宛先表示面）
１２，１２０  側壁
１３，１３ｃ，１３ｄ  フラップ
１３ｃｄ  閉じ部
１４，１４０  継ぎしろ
１１１  開口部
【図１】
2010095262.tif 000003
【図２】
2010095262.tif 000004
【図３】
2010095262.tif 000005
【図４】
2010095262.tif 000006